(57)【特許請求の範囲】
【請求項１】
メッシュ、フィルム、布地あるいは不織布等の膜状部材と、内側に前記膜状部材が張られて固定され椅子の座又は背凭れを構成するフレーム組部材とを備え、前記フレーム組部材は、前記膜状部材が張られる一方のフレームと、当該一方のフレームに組み合わされる他方のフレームにより構成され、前記一方のフレームと前記他方のフレームとの間に前記膜状部材の周縁を挟み込むものであって、前記膜状部材の周縁には係止部が設けられており、前記係止部は前記一方のフレームに係止され、前記他方のフレームは、前記一方のフレームに係止された前記係止部及び前記膜状部材の周縁を前記一方のフレームとの間に隠し、前記一方のフレームと前記他方のフレームの間には前記係止部の厚さよりも狭く且つ前記膜状部材の厚さよりも広い隙間が形成され、前記隙間を通って前記膜状部材が引き出されていることを特徴とする膜状部材取付構造。
【請求項２】
前記一方のフレームに前記係止部を引っ掛ける突起が設けられていることを特徴とする請求項１記載の膜状部材取付構造。
【請求項３】
前記一方のフレームには前記係止部を収容する凹部が設けられていることを特徴とする請求項１記載の膜状部材取付構造。
【請求項４】
前記係止部は前記膜状部材の周縁に連続的に周状に形成されていることを特徴とする請求項１記載の膜状部材取付構造。
【発明の詳細な説明】
【技術分野】
【０００１】
本発明は、１対のフレームから構成されるフレーム組部材によって膜状部材の周縁を挟み込んで固定する膜状部材取付構造に関する。さらに詳述すると、本発明は、特に椅子の背凭れや座などを構成するシートなどの膜状部材に用いて好適な取付構造の改良に関する。
【背景技術】
【０００２】
メッシュ素材を椅子の座や背凭れ等に使用する場合、メッシュ素材にテンションをかけた状態で組付けることが一般的である。従来、このメッシュ素材のようにシート状であってテンション（張力）をかけて使用するもの（本明細書ではこれらを総括して「膜状部材」と称す）をフレーム部材に取り付ける場合には、図２５に示すように治具１０６等によりテンションを掛けて支持した膜状部材１０１を、長手方向に沿って分割したフレーム１０４，１０５で挟み込んで固定し、その後、はみ出した部分を切断することが行われている。
【先行技術文献】
【特許文献】
【０００３】
【特許文献１】特開平１１−２９０１５３号公報
【特許文献２】実願昭６０−６６２４５号（実開昭６１−１８１５５５号）のマイクロフィルム
【発明の概要】
【発明が解決しようとする課題】
【０００４】
しかしながら、上記の手法では、膜状部材１０１を治具１０６等によってテンションを掛けて支持し、その状態で膜状部材１０１をフレーム１０４，１０５で挟み込むようにしているので、フレーム１０４，１０５の間から膜状部材１０１の周縁がはみ出してしまう。そのため、はみ出した膜状部材１０１の周縁を後からわざわざ切断しなければならない。
【０００５】
また、切断した周縁は外部に露出しているので、外観が悪い。
【０００６】
そこで、本発明は、膜状部材の周縁の見栄えを良くするために膜状部材の周縁を隠すことができる膜状部材取付構造を提供することを目的とする。
【課題を解決するための手段】
【０００７】
かかる目的を達成するため、請求項１記載の発明の膜状部材取付構造は、メッシュ、フィルム、布地あるいは不織布等の膜状部材と、内側に膜状部材が張られて固定され椅子の座又は背凭れを構成するフレーム組部材とを備え、フレーム組部材は、膜状部材が張られる一方のフレームと、当該一方のフレームに組み合わされる他方のフレームにより構成され、一方のフレームと他方のフレームとの間に膜状部材の周縁を挟み込むものであって、膜状部材の周縁には係止部が設けられており、係止部は一方のフレームに係止され、他方のフレームは、一方のフレームに係止された係止部及び膜状部材の周縁を一方のフレームとの間に隠し、一方のフレームと他方のフレームの間には係止部の厚さよりも狭く且つ膜状部材の厚さよりも広い隙間が形成され、隙間を通って前記膜状部材が引き出されているものとしている。
【０００８】
したがって、一方のフレームに他方のフレームを組み合わせると、これらの間に膜状部材の周縁が隠される。また、フレーム組部材を組み合わせる場合、先ず最初に膜状部材の係止部を一方のフレームに係止して膜状部材の周縁を一方のフレームに係止した後、他方のフレームを一方のフレームに組み合わせる。これにより、一方のフレームと他方のフレームの間に膜状部材の周縁及び係止部が隠される。さらに、一方のフレームと他方のフレームの間には係止部の厚さよりも狭く且つ膜状部材の厚さよりも広い隙間が形成され、隙間を通って膜状部材が引き出されるので、係止部は一方のフレームと他方のフレームとの間の隙間を擦り抜けることができず、膜状部材の外れや緩みが防止される。
【００１１】
また、請求項２記載の発明は、請求項１記載の膜状部材取付構造において、一方のフレームに係止部を引っ掛ける突起が設けられている。したがって、突起に係止部を引っ掛けて膜状部材の周縁を一方のフレームに係止することができる。
【００１３】
一方、請求項３記載の発明のように、一方のフレームに係止部を収容する凹部を設ければ、膜状部材を取り付けた後において、フレーム組部材の表面から係合部が突出するのを防止できて外観上も好適である。
【００１４】
さらに、請求項４記載の発明のように、係止部を膜状部材の周縁に連続的に周状に形成することで、膜状部材にほぼ均一なテンションを付与することができる。
【発明の効果】
【００１５】
請求項１記載の膜状部材取付構造によると、一方のフレームと他方のフレームとの間に膜状部材の周縁を隠すことができる。
【００１６】
そして、請求項１記載の膜状部材取付構造によれば、フレーム組部材を組み合わせる場合、先ず最初に膜状部材の係止部を一方のフレームに係止して膜状部材の周縁を一方のフレームに係止した後、他方のフレームを一方のフレームに組み合わせることができる。また、一方のフレームと他方のフレームの間に膜状部材の周縁及び係止部を隠すことができる。
また、膜状部材取付後においては、フレーム組部材が膜状部材の擦り抜けを妨げ、その弛みを防止するため、取付時とほぼ変わらないテンションを長期にわたって維持することができる。しかも、フレーム組部材を分離すれば膜状部材のみを取り外すことができるため、たとえ膜状部材の破損等が起きたとしても膜状部材を交換するだけで済む。
【００１７】
さらに、請求項２記載の膜状部材取付構造によると、突起に係止部を引っ掛けて膜状部材の周縁を一方のフレームに係止することができる。
【００１９】
また、請求項３記載の膜状部材取付構造によると、一方のフレームには係止部を収容する凹部が設けられているため、膜状部材を取り付けた後において、フレーム組部材の表面から係止部が突出するのを防止して外観を良くすることができる。
【００２０】
さらに、請求項４記載の膜状部材取付構造によれば、係止部を膜状部材の周縁に連続的に周状に形成しているので、膜状部材にほぼ均一なテンションを付与することができる。
【図面の簡単な説明】
【００２１】
【図１】本発明の膜状部材取付構造の一実施形態を示す膜状部材とフレーム組部材の部分縦断面図である。
【図２】内側フレームと外側フレームを嵌合させた状態を示す部分縦断面図である。
【図３】膜状部材およびフレーム組部材を示す全体斜視図である。
【図４】内側フレームと外側フレームを嵌合させた状態を示す全体斜視図である。
【図５】本発明の他の実施形態を示す矩形フレームの斜視図である。
【図６】更に他の実施形態を示す膜状部材とフレーム組部材の縦断面図である。
【図７】内側フレームと固定プレートとを一体化した場合の膜状部材取付構造を示す部分縦断面図である。
【図８】本発明の更に他の実施形態を示す膜状部材とフレーム組部材の縦断面図である。
【図９】本発明の更に他の実施形態を示す膜状部材とフレーム組部材の縦断面図である。
【図１０】図９に示すフレーム組部材を椅子に組み付けた分解斜視図である。
【図１１】本発明の更に他の実施形態を示す膜状部材とフレーム組部材の縦断面図であり、（Ａ）は嵌合前、（Ｂ）は嵌合後をそれぞれ示す。
【図１２】本発明の更に他の実施形態を示す膜状部材とフレーム組部材の縦断面図である。
【図１３】本発明の更に他の実施形態を示す膜状部材とフレーム組部材の縦断面図である。
【図１４】本発明の更に他の実施形態を示す膜状部材とフレーム組部材の部分縦断面図であり、（Ａ）は嵌合前の状態、（Ｂ）は嵌合途中の状態を示す。
【図１５】本発明の更に他の実施形態を示す膜状部材とフレーム組部材の縦断面図である。
【図１６】本発明の更に他の実施形態を示す膜状部材とフレーム組部材の縦断面図である。
【図１７】本発明の更に他の実施形態を示す膜状部材とフレーム組部材の縦断面図である。
【図１８】本発明の更に他の実施形態を示す膜状部材とフレーム組部材の縦断面図であり、（Ａ）は嵌合前、（Ｂ）は嵌合後をそれぞれ示す。
【図１９】本発明の更に他の実施形態を示す膜状部材とフレーム組部材の縦断面図であり、（Ａ）は嵌合前、（Ｂ）は嵌合後をそれぞれ示す。
【図２０】本発明の更に他の実施形態を示す膜状部材とフレーム組部材の縦断面図であり、（Ａ）は嵌合前、（Ｂ）は嵌合後をそれぞれ示す。
【図２１】本発明の更に他の実施形態を示す膜状部材とフレーム組部材の縦断面図であり、（Ａ）は嵌合前、（Ｂ）は嵌合後をそれぞれ示す。
【図２２】本発明の更に他の実施形態を示す膜状部材とフレーム組部材の縦断面図であり、（Ａ）は嵌合前、（Ｂ）は嵌合後をそれぞれ示す。
【図２３】本発明の更に他の実施形態を示す膜状部材とフレーム組部材の縦断面図であり、（Ａ）は嵌合前、（Ｂ）は嵌合後をそれぞれ示す。
【図２４】本発明の更に別の実施形態を示す膜状部材とフレーム組部材の縦断面図であり、（Ａ）は嵌合前、（Ｂ）〜（Ｃ）は嵌合動作中、（Ｄ）は嵌合後をそれぞれ示す。
【図２５】従来の膜状部材取付構造の一例を示す縦断面図であり、（Ａ）は嵌合前、（Ｂ）は嵌合後をそれぞれ示す。
【図２６】従来の膜状部材取付構造の他の例を示す斜視図である。
【発明を実施するための形態】
【００２２】
以下、本発明の構成を図面に示す実施の形態の一例に基づいて詳細に説明する。
【００２３】
図１〜図４に本発明の膜状部材取付構造の一実施形態を示す。この膜状部材取付構造は、メッシュ等の膜状部材２と、内側に膜状部材２が張られて固定され椅子の座又は背凭れを構成するフレーム組部材４とを備え、フレーム組部材４は、膜状部材２が張られる一方のフレーム４ａと、一方のフレーム４ａに組み合わされる他方のフレーム４ｂにより構成され、一方のフレーム４ａと他方のフレーム４ｂとの間に膜状部材２の周縁を挟み込むことにより膜状部材２の周縁を隠すようにしている。例えば、膜状部材２と、膜状部材２の周縁を表側と裏側とから挟み込み押し込むことによって膜状部材２にテンションを与えるとともに係止部３の擦り抜けを妨げて膜状部材２の弛みを防止する嵌合分離可能なフレーム組部材４とから構成したもので、椅子の座又は背凭れの構造に用いて好適である。以下においては、本発明の取付構造を椅子の座（座の一部である場合を含む。以下、単に「座１」と記す）に適用した形態を説明する。
【００２４】
この膜状部材取付構造における支持フレーム４は、嵌め込みが可能な一対の二重構造のフレーム４ａ，４ｂ組から成り、両フレーム４ａ，４ｂの間に膜状部材２の一部を挟み込み嵌め込むことによって同時にこの膜状部材２をフレーム４ａ，４ｂを嵌め込む方向に相対的に押し込みながら膜状部材２にテンションをかける。また、膜状部材取付後におけるフレーム組部材４は、フレーム４ａ，４ｂ組の隙間を膜状部材２が擦り抜けるのを妨げて膜状部材２の弛みを防止する。よって、膜状部材２にテンションを付与するための膜状部材取付構造とは別個の付帯設備が不要になるので、張力付与の作業が簡単になると共に製造コストを低減することができる。また、フレーム組部材４が分解組立可能になるので、膜状部材２のみを取り替えることができるようになる。
【００２５】
本実施形態では、膜状部材２は周縁あるいは該周縁よりも内側に肉厚の係止部３を備えると共に、フレーム組部材４は、膜状部材２の係止部３よりも内側を挟み込み、嵌合動作時に係止部３を引っ掛けて膜状部材２を押し込むと共に係止部３の擦り抜けを妨げて膜状部材２の弛みを防止するようにしている。このため、両フレーム４ａ，４ｂの間に膜状部材２の係止部３の内側を挟み込み嵌め込むことによって同時にこの膜状部材２の係止部３をフレーム４ａ，４ｂを嵌め込む方向に相対的に押し込みながら膜状部材２にテンションをかける。また、膜状部材取付後におけるフレーム組部材４は、膜状部材２を表側と裏側とから挟み込むことに加え、フレーム４ａ，４ｂ組の隙間を係止部３が擦り抜けるのを妨げて膜状部材２の弛みを防止する。
【００２６】
まず、膜状部材２について説明する。本実施形態の膜状部材２は、周縁をフレーム組部材４で囲繞したとき座面として好適な弾性を発揮する材質、例えば伸縮性と通気性に富むメッシュシート（以下「メッシュシート２」と記して説明する）によって形成されたシート状弾性材である。メッシュシート２は、座面として適度に変形して着座者を受け支える。
【００２７】
メッシュシート２としては、オレフィン系樹脂製あるいはポリエステル製のシートが好適である。座１の全体がオレフィン系樹脂製である場合には、分別廃棄することなくそのままリサイクルすることができる。本実施形態では、ポリエステル糸とエラストマ性ポリエステル糸との織物によって構成されたポリエステル製シート（例えば、デュポン社製  商品名ダイメトロール）からなるメッシュシート２を採用している。メッシュシート２は、メッシュから成るため高い通気性を得て座り心地の良い快適な座１を得ることができる。
【００２８】
このメッシュシート２の周縁あるいは周縁よりも内側には、図３に示すように周回する肉厚の係止部３が形成されている。係止部３は、図２に示すように、メッシュシート２がフレーム組部材４に挟み込まれたときフレーム組部材４のストッパ６に引っ掛かってメッシュシート２が体重等の荷重を受けて内側に向かってずれるのを妨げる抜け止めとして機能する。この係止部３は少なくとも嵌合時のフレーム組部材４の内側フレーム４ａと外側フレーム４ｂとの間の隙間より厚く形成され、ストッパ６に引っ掛かっている限りは隙間から擦り抜けることができずにメッシュシート２にテンションを付与し続ける。即ち、フレーム４ａ，４ｂの間には係止部３の厚さよりも狭く且つメッシュシート２の厚さよりも広い隙間が形成され、この隙間を通ってメッシュシート２が引き出されている。また、係止部３は、フレーム組部材４の平面形状と同じかそれに相似した形状、またはそれらに近似した形状（例えば矩形、円形等）であって、原則としてテンション付与前の大きさがフレーム組部材４の大きさ（より詳しくは、フレーム組部材４に設けられたストッパ６の設置範囲）より小さいか、大きくてもこれと同程度の大きさとなるようにメッシュシート２の縁に連続的に周状に形成される。
【００２９】
したがって、フレーム組部材４に保持されたときのメッシュシート２には、フレーム組部材４の形状・大きさと係止部３の形状・大きさ、及びメッシュシート２自体の材質等によって定まる一定のテンションが付与される。この場合、係止部３を連続形成することにより、メッシュシート２にほぼ均一なテンションを付与することが好ましい。
【００３０】
このような係止部３は、例えばメッシュシート２の周縁に縫い付けた縫製玉縁によって簡単に構成することができる。玉縁は、例えば丸紐を図３に示すようにメッシュシート２の周縁に縫い付け周回させて形成できる。この場合、伸縮性に富むゴム性の丸紐を使用してもよい。係止部３を縫製とした場合、ミシン等でメッシュシート２に後付けできるので容易に製作できる。あるいは、メッシュシート２の周縁とその近辺を折り返して縫っても同じように玉縁を形成することができる。この場合、折り返しの中に丸紐等を織り込んでもよい。
【００３１】
ただし、係止部３は連続的でなくてもよく、断続的な環状とするなど、周回形状を適宜変更してメッシュシート２に部分的に異なる不均一なテンションを意図的に付与するようにしてもよい。例えば、メッシュシート２の周囲に一定間隔で断続した不連続の係止部３を形成し、部位によって異なるテンションを付与するようにしてもよい。あるいは、図１０に示すように矩形状のメッシュシート２の四辺に別個の係止部３を設けるようにしても良い。この場合は、メッシュシート２を四方から引っ張ることができるので、中央部で張りが最も強く、かつ四隅に向かうにつれて張りが弱くなる座１を得ることができる。
【００３２】
また、縫う以外には、例えば図２４に示すようにメッシュシート２と異なる部材（例えば樹脂部材）を接着、溶着、溶融、ホチキス止めなどにより固着して係止部３を形成することもできる。この場合、特に図示しないが、メッシュシート２を表裏から挟み付けて一体化する一対の雌雄フックを周状かつ等間隔に複数組設けることによって係止部３とすることもできる。
【００３３】
なお、係止部３はいずれもメッシュシート２の周縁に設けられることが好ましいがこれは常に厳密な意味での周縁である必要はない。本発明の係止部３は、周縁よりも内側に設けられた場合であっても上述の場合と同様の作用効果を奏するので、この作用を害しない範囲内であれば係止部３の位置は限定されない。
【００３４】
フレーム組部材４は、メッシュシート２の周縁内側を表側と裏側とから挟み込んでこのメッシュシート２にテンションを与えるとともに係止部３の擦り抜けを妨げてメッシュシート２の弛みを防止する部材で、嵌合分離可能な一対の内側フレーム４ａおよび外側フレーム４ｂから成る。本実施形態の場合、図３に示すように両フレーム４ａ，４ｂとも環状フレームとし、図４に示すように丸い座１を構成するようにしている。
【００３５】
本実施形態ではフレーム組部材４が内側フレーム４ａおよび外側フレーム４ｂから成るので、座面に垂直な嵌合面１４ａ，１４ｂを有する。そして、外側フレーム４ｂの下部に形成されたストッパ６に係止部３を引っ掛けた状態で外側フレーム４ｂを内側フレーム４ａに上から被せることにより、膜状部材２が内側フレーム４ａの嵌合面１４ａに沿って下方に引き延ばされて膜状部材２にテンションが発生する。
【００３６】
また、両フレーム４ａ，４ｂの嵌合面１４ａ，１４ｂの一部にはテーパ７が設けられている。すなわち、図１に示すように、内側フレーム４ａの上部外周側にはテーパ７ａが設けられ、外側フレーム４ｂの上部内周側にはこれと同形状でテーパ７ａに被さるテーパ７ｂが設けられている。したがって、外側フレーム４ｂを内側フレーム４ａのテーパ７ａのある側から被せることはできるが反対側（テーパ７ａのない側）から被せることはできない。また、外側フレーム４ｂが裏返しになっていれば、両フレーム４ａ，４ｂを嵌合させようとしてもテーパ７ａ、７ｂのある部分どうしが干渉して内側フレーム４ａに外側フレーム４ｂを被せることができない。なお、本実施形態のテーパ７ａ（７ｂ）は上端から途中までがテーパ形状で途中から下端までが径一定の筒状であるが、嵌合面の上端から下端まで連続するテーパ形状であっても構わない。
【００３７】
このようなテーパ部７ａ，７ｂは、両フレーム４ａ，４ｂの嵌め合わせをより容易にすることに加え、両フレーム４ａ，４ｂ間の隙間を徐々に無くし両フレーム４ａ，４ｂを確実に嵌合させるという作用を奏する。なお、この図２では説明の便宜上フレーム４ａ，４ｂ間に本来は存在しない隙間を示しているが実際に僅かに隙間ができるようにしても構わない。メッシュシート２が厚い場合は、少なくともメッシュシート２を挟み込んだ状態で両フレーム４ａ，４ｂを嵌め合わせられる間隔以上となるように隙間幅を適宜変更する。
【００３８】
さらに、フレーム組部材４には係止部３を収容可能な凹部５を設けておくことが好ましい。本実施形態では、図１に示すように外側フレーム４ｂの内周下側縁の隅肉を環状に落として凹部５としている。この場合、係止部３が凹部５から擦り抜けるのを防ぐストッパ６の機能は、凹部５の天井面と内側フレーム４ａの外周面とが担保する。つまり、凹部５の天井面と内側フレーム４ａの外周面とが係止部３を引っ掛けて隙間から擦り抜けるのを防止する。
【００３９】
なお、図２に二点鎖線で示すように、内側フレーム４ａの外周下端縁の肉を落として凹部５とすることもできる。例えば両フレーム４ａ，４ｂに深さの等しい凹部５を設けた場合、係止部３は両凹部５のストッパ（この場合、両凹部５の天井面）６に引っ掛かる。また、内側フレーム４ａにのみ凹部５を設けた場合、係止部３はフレーム嵌合時に内側へ移動してこの凹部５に収まる。
【００４０】
フレーム組部材４としては、椅子に取り付けなくてもメッシュシート２が座１として必要なテンションを得られるように単体で支持できるものを用いる。この場合、座１を椅子フレームに取り付けるときにメッシュシート２に更なるテンションを与える必要がないので取付作業を容易にすることができる。もちろん、フレーム組部材４は座１としての剛性も備えるものとする。なお、フレーム組部材４を例えば図５に示すような断面がブランケット形状のＬ字形（あるいはこれに近似した断面が屈曲した形状）の環状フレームで形成することは座１としての剛性を得やすいという点で好ましい。
【００４１】
また、フレーム組部材４の底面側には、図１及び図２に示すようにフレーム組部材４の両フレーム４ａ，４ｂの嵌合状態を維持する固定プレート８が設けられる。本実施形態の場合、内側フレーム４ａおよび外側フレーム４ｂの底面側に取り付けられる複数のボルト９によって固定プレート８をフレーム組部材４に固定している。なお、固定プレート８は、両フレーム４ａ，４ｂにボルト止めされればフレーム組部材４をより堅固に固定することができるが、本実施形態のように両フレーム４ａ，４ｂにたがの作用を奏させている場合は、少なくとも外側フレーム４ｂに固定されていれば、両フレーム４ａ，４ｂの嵌合状態を長期にわたって維持し、内側フレーム４ａが外側フレーム４ｂから抜け出るのを防止することができる。
【００４２】
なお、固定プレート８をフレーム組部材４に固定する方法には、上述のようにボルト９によって締め付ける他、例えば図６に示すようにフレーム組部材４に形成された係合爪１５により引っ掛ける場合も含まれる。この場合、係合爪１５を固定プレート８の係止孔１６に貫通させてワンタッチで固定することができる。これによれば、部品点数を減らすことができ、またフレーム組部材４の固定プレート８への固定作業を容易化することができる。さらに固定プレート８をフレーム組部材４に固定する方法には、フレーム組部材４のいずれか一方と固定プレート８とを予め一体成形したり、または接着しておく手段が含まれる。例えば図７に示すように、固定プレート８を内側フレーム４ａとあらかじめ一体化しておけばあとは固定プレート８と外側フレーム４ｂとを固定するだけでよく、部品も少なくて済む。
【００４３】
また、上述した座１を他の構造物、例えば椅子フレーム１７に固定するには、例えばねじ止めにより行う。例えば図７に示す座１を椅子フレーム１７に固定するには、図８に示すように両フレーム４ａ，４ｂの嵌合状態を維持すると共に椅子フレーム１７に固定する固定手段であるボルト９によりねじ止めする。この場合、座１を椅子フレーム１７に固定できると同時に、各フレーム４ａ，４ｂ同士の嵌合を固定することができる。
【００４４】
ここまで述べた本実施形態のメッシュシート２の取付構造によれば、メッシュシート２の組み付けがきわめて簡単である。すなわち、図３に示すように内側フレーム４ａにメッシュシート２を予張力なしで位置合わせし、この上から外側フレーム４ｂを嵌め込むことにより、図１に示すように外側フレーム４ｂの下面によって（より具体的には凹部５のストッパ６によって）環状の係止部３を均一かつ同時に押し下げ、メッシュシート２にテンションを付与することができる。
【００４５】
なお、上述の実施形態は本発明の好適な実施の一例ではあるが、これに限定されるものではなく本発明の要旨を逸脱しない範囲において種々変形実施可能である。
【００４６】
例えば、本実施形態では座に適用した場合について主に説明したがこれに特に限られず背凭れやその他の構造物に適用することもできる。また、メッシュシート２としてポリエステル製メッシュシートを使用したが、これには限られず膜状で座１として必要な弾力性及び強度を備えていれば良く、例えばナイロン製のメッシュシート２にすることができる。
【００４７】
さらに、本実施形態では膜状部材２の好適例としてメッシュシートを挙げたが、座１として必要な弾力性及び強度を備えるフィルム、ビニル、布地あるいは不織布などのような他の部材をメッシュシートと同じように膜状部材２としてフレーム組部材４に取り付け、使用することができる。この場合、一体化した膜状部材２およびフレーム組部材４を座１とすることはもちろん、張られた膜を必要とするあらゆる構造に利用することができる。フィルムとしては、例えばポリ塩化ビニリデン製のフィルム（商品名：サランラップ）を使用することができる。
【００４８】
また、本実施形態ではフレーム組部材４を円形としたがこれはフレーム組部材４ひいては座１の一形状例にすぎず、形状は特にこれに限定されない。例えば、図５に示すようにフレーム形状を矩形としてもよいし、あるいは特に図示しないが多角形、長円、楕円、そら豆形など種々の形状とすることができる。更に、上述した種々の形状の環状フレームには限定されず、場合によっては少なくとも２本の直線状のフレーム材を相対向させて配置し、それらの間で膜状部材２を張架させるようにしても良い。例えば、前後方向に配置された座の左右の一対のフレームの間で、左右方向に張力を与えて膜状部材２を取り付けることもできる。
【００４９】
また、縫製の糸材や接着剤をオレフィン系樹脂あるいはポリエステル製から成るようにすることにより座１の構成部材を全てオレフィン系樹脂製あるいはポリエステル製にした場合、各パーツ毎に分離せずにそのまま廃棄したり、あるいは粉砕・溶融して射出原材料などとして再生することが可能となり、リサイクルできて好ましい。
【００５０】
また、本実施形態では係止部３がストッパ６に引っ掛かることと各フレーム４ａ，４ｂが膜状部材２を挟み付けることとにより膜状部材２の抜け止めを図っているが、これには限られず少なくとも係止部３がストッパ６に引っ掛かっていれば抜け止めを図ることができる。すなわち、係止部３がストッパ６に引っ掛かっていれば、各フレーム４ａ，４ｂの嵌合面１４ａ，１４ｂの隙間が膜状部材２より大きくても膜状部材２は緩むことはない。
【００５１】
一方、上述した実施形態では、図８に示すように椅子フレーム１７とフレーム組部材４とをボルト９のみで固定しているが、これには限られず図９及び図１０に示すように、椅子フレーム１７がフレームパイプ１８とこれに溶接された受け金具１９とを有するものである場合に、各フレーム４ａ，４ｂを受け金具１９にボルト９によりねじ止めすると同時に、フレーム組部材４に係合凹部２０を形成して、これをフレームパイプ１８に係止するようにしても良い。この場合、座１の椅子フレーム１７への固定はボルト９および係合凹部２０の２つにより行われるので、より強固に固定することができる。しかも、この座１は外側フレーム４ｂによりフレームパイプ１８を覆い隠しているので、椅子の外観を良くすることができる。なお、ここでの内側フレーム４ａは例えば金属製でプレス成形等により形成されたものとしている。
【００５２】
また、椅子フレーム１７と座１とを固定するのはねじ止めに限られず、例えば、特に図示はしないがフレーム組部材４に係止爪を一体形成して、これを椅子フレーム１７若しくは受け金具１９側の受け部、例えば孔や凹部にワンタッチで係止するようにしても良い。
【００５３】
さらに、上述した実施形態では外側フレーム４ｂにメッシュシート２の係止部３を引っ掛ける凹部５を設けているが、これには限られず凹部５を設けなくても良い。この場合、例えば図１１（Ａ）に示すように係止部３を嵌合面１４ａに軽く引っ掛けておいて、外側フレーム４ｂの下面により係止部３を押し下げて、同図（Ｂ）に示すように膜状部材２にテンションを与える。
【００５４】
そして、上述した実施形態では外側フレーム４ｂが座１の外面に露出しているが、これには限られず図１２および図１３に示すようにフレーム組部材４の外側面にカバー２１を取り付けるようにしても良い。これにより、フレーム４ａ，４ｂの境部分や固定プレート８または椅子フレーム１７を隠して見栄えを良くすることができる。
【００５５】
ここで、フレームとしての剛性はフレーム組部材４のみで維持できるので、エラストマ製のカバー２１でも利用することができる。エラストマ製のカバー２１を採用した場合は、座１のクッション性や手触りを良くして座り心地を良くできると共に外観を良好にできる。また、カバー２１としてプラスチックやその他の材質を使用して外観を良好にすることもできる。
【００５６】
また、カバー２１のフレーム組部材４への取付は、図１２に示すようにカバー２１を外側フレーム４ｂに接着する方法や、図１３に示すようにカバー２１の内側面に形成した凸部２２を外側フレーム４ｂに形成した凹部２３に嵌合して固定する方法などがある。
【００５７】
また、上述の実施形態ではフレーム組部材４の外側フレーム４ｂの凹部５の天井面（あるいは外側フレーム４ｂの下端部）と内側フレーム４ａの嵌合面との間でメッシュシート２の係止部３を引っ掛けるようにして外側フレーム４ｂの嵌入方向に押し込むようにしているが、これには特に限られず、係止部３が相対的に押し込まれるような態様も含まれる。例えば、フレーム組部材４の嵌合分離可能な両フレーム４ｃ，４ｄのうちの一方のフレーム４ｄに嵌合凹部１３を形成すると共に、該嵌合凹部１３に嵌合すると共に嵌合動作時に膜状部材２を押し込むことにより膜状部材２にテンションを与える嵌合凸部１０を他方のフレーム４ｃに形成するようにする。この場合、膜状部材２が嵌合凸部１０により嵌合凹部１３に押し込まれるので、１つの嵌合面のみに沿って膜状部材２が押し込まれる場合に比べて膜状部材２の引っ張り長さを約２倍にすることができる。このため、より高いテンションを得ることができる。
【００５８】
この膜状部材取付構造は、例えば図１４（Ａ）に示すように下向きに突出する嵌合凸部としてのボス１０を備えた上側フレーム４ｃと、内径がボス１０の外径より大きい外側ボス１１および外径がボス１０の内径より小さい内側ボス１２により形成されるボス１０を嵌合する嵌合凹部としての溝１３を備えた下側フレーム４ｄとで形成されるフレーム組部材４によって実施可能である。
【００５９】
この場合、図１４（Ｂ）に示すように上側フレーム４ｃのボス１０の外周面と下側フレーム４ｄの外側ボス１１の上端面との間でメッシュシート２の係止部３を引っ掛けた状態で、その内側のメッシュシート２部分をボス１０によって下側に押し込み、メッシュシート２にテンションを与えることができる。すなわち、押し込むフレームは一対のフレーム組のいずれでもよく、係止部３を相対的に押し込むことができればメッシュシート２にテンションを付与することができる。なお、図１４（Ａ）（Ｂ）に示した膜状部材取付構造において係止部３の擦り抜けを防止するストッパ６は、下側フレーム４ｄの外側ボス１１の周状上端面と、ボス１０の外周面である。また、上側フレーム４ｃには、下側フレーム４ｄの外側ボス１１の外周を覆い隠して固定プレート８にボルト９により固定される外周部２４が設けられている。
【００６０】
また、この膜状部材取付構造においては、下側フレーム４ｄに外側ボス１１および内側ボス１２により形成される溝１３を設けているため、図１４（Ｂ）に示すように、フレームの押し込みストロークの２倍に相当するテンションをメッシュシート２に付与することができる。したがって、フレーム組部材４を薄く形成する場合に有利となる。
【００６１】
そして、上述した図１４に示す実施形態では膜状部材２を下側フレーム４ｄの溝１３に押し込むボス１０の外に下側フレーム４ｄの外周を覆う外周部２４が設けられているが、この外周部２４は場合によっては必要ない。例えば図１５に示すように外周部２４を有しないボス１０のみを有する上側フレーム４ｃを使用しても良い。この場合、下側フレーム４ｄは、平面状の内側壁２５と外側壁２６と底部２７とを備えて内側壁２５および外側壁２６が底部２７に対して直交する断面コ字形状であり、金属製でプレス加工などにより形成されたものとしている。また、上側フレーム４ｃは全体がボス１０を構成し、下側フレーム４ｄの嵌合凹部１３の内面に沿ってほぼ全体が入り込む形状としている。
【００６２】
この場合、下側フレーム４ｄの外周縁に係止部３を軽く引っ掛けた状態で上側フレーム４ｃを下側フレーム４ｄに嵌合する。これにより、膜状部材２が嵌合凸部１０により嵌合凹部１３に押し込まれてテンションが与えられ、下側フレーム４ｄおよび上側フレーム４ｃの外周縁により係止部３が引っ掛けられて抜け止めされてテンションが維持される。また、ここでは各フレーム４ｃ，４ｄの嵌合を固定するボルト９が膜状部材２を貫通するように設けられている。このため、膜状部材２は係止部３の引っ掛かりによる抜け止めの他にボルト９によっても抜け止めが図られる。なお、膜状部材２のボルト９が貫通する部位には予め透孔を形成しておいても良く、あるいは膜状部材２を挟み込んで位置決めしてからボルト９または治具によって透孔を形成するようにしても良い。
【００６３】
ここで、図１５に示す実施形態では下側フレーム４ｄは内側壁２５と外側壁２６とが底部２７に対して直交する断面コ字形状であるが、これには限られず図１６に示すように内側壁２５および外側壁２６の各上部が開いた形状としても良い。
【００６４】
さらには、上述した図１５および図１６に示す実施形態では下側フレーム４ｄは内側壁２５と外側壁２６と底部２７とを備えているが、これには限られず例えば図１７に示すように下側フレーム４ｄが内側壁２５および底部２７のみを備えるものとしても良い。この場合、嵌合凹部１３は内側壁２５および底部２７と各先端とを結ぶ断面三角形と成る。すなわち、膜状部材２は上側フレーム４ｃの嵌合により断面三角形の嵌合凹部１３に押し込まれてテンションを掛けられる。
【００６５】
また、上述した図１４〜図１７に示す実施形態では、下側フレーム４ｄに嵌合凹部１３、上側フレーム４ｃに嵌合凸部１０をそれぞれ形成しているが、これには限られず下側フレーム４ｄに嵌合凸部１０、上側フレーム４ｃに嵌合凹部１３をそれぞれ形成するようにしても良い。
【００６６】
そして、上述した実施形態では係止部３は膜状部材２の周縁に縫い付けた縫製玉縁から成るようにしているが、これには限られずメッシュシート２と異なる例えば合成樹脂製の部材から成るようにしても良い。この場合、例えば図２４に示すように、メッシュシート２の周縁に外周側に飛び出した平板状の係止部３を接着すると共にステープル３１で固定する。また、内側フレーム４ａには、係止部３を縦に収容する凹部５が設けられている。
【００６７】
このフレーム組部材４に膜状部材２を取り付けるときは、まず図２４（Ａ）に示すように係止部３の先端を凹部５の上部（係止部３を引っ掛ける突起）に当てて膜状部材２に軽く張力を与えておく。そして、同図（Ｂ）に示すように、係止部３をその先端部を中心に回転させてほぼ水平に位置させる。これにより、係止部３が内側フレーム４ａに係止される。さらに、同図（Ｃ）に示すように、外側フレーム４ｂを内側フレーム４ａに対して座面側から嵌合する。このとき、係止部３をその先端部を中心に回転させることにより、膜状部材２に張力を与える。そして、同図（Ｄ）に示すように、外側フレーム４ｂを完全に押し下げて、係止部３を凹部５に完全に収容すると共に外側フレーム４ｂと内側フレーム４ａとをボルト９により固定する。このとき、凹部５の上面が係止部３の先端部を抑えている。外側フレーム４ｂは係止部３及び膜状部材２の周縁を内側フレーム４ａとの間に隠している。
【００６８】
ここで、組立後のフレーム組部材４では、膜状部材２に荷重が作用したときに同図（Ｄ）に示すように係止部３の下部が外周側に引っ張られる。このため、膜状部材２に荷重が作用しても外側フレーム４ｂには内周側から外周側への外力が作用するだけであり座面側に持ち上げる力は作用しないので、外側フレーム４ｂが内側フレーム４ａから外れてしまうおそれは無い。したがって、フレーム組部材４から膜状部材２を取り外して交換可能でありながらも、通常の使用によりフレーム組部材４が分解してしまうおそれを無くすことができる。
【００６９】
図２４に示す実施形態によれば、内側フレーム４ａに凹部５が形成されていて、該凹部５の上面が係止部３の先端部を抑えているので、外側フレーム４ｂによって係止部３を上からは押さえる必要がない。このため、外側フレーム４ｂの薄型化を図ることができる。
【００７０】
一方、上述した図１〜図１７に示す実施形態では、膜状部材２の周縁に係止部３を形成してるが、これには限られない。すなわち、係止部３は膜状部材２の縁を少なくとも一方のフレームに引っ掛けて固定する役割を果たすものであるので、係止部３を備えていなくても他の手段によりフレームに固定することができれば良い。例えば、一方のフレームに膜状部材２を接着、溶着、一体成形、ステープル止め、摩擦、係止のうちの少なくとも１つにより固定するようにすれば良い。この場合、各フレームを嵌合することにより膜状部材２が引っ張られてテンションを生ずると共に、嵌合後は膜状部材２が引っ張られた状態で維持されてテンションの低下が防止される。また、膜状部材２には何ら加工を加える必要が無いので、フレームおよび膜状部材２の固定を容易かつ低コストで実現することができる。
【００７１】
具体的には、例えば図１８（Ａ）に示すように軽く張った膜状部材２の縁部を外側フレーム４ｂの下面に接着し、同図（Ｂ）に示すようにこの外側フレーム４ｂを内側フレーム４ａに被せて膜状部材２を内側壁２５の上端からボス１０で内側フレーム４ａの側方が開放された溝１３内へ押し込むように下げて引き延ばす。この場合に、外側フレーム４ｂが例えば合成樹脂製であれば、この外側フレーム４ｂを射出成形などにより形成する際に、既に形成されている膜状部材２を金型に入れて一体成形するようにしても良い。また、例えば図１９（Ａ）に示すように軽く張った膜状部材２の縁部を内側フレーム４ａの底部２７の外側寄りの部位に接着し、同図（Ｂ）に示すように外側フレーム４ｂを内側フレーム４ａに被せて膜状部材２をボス１０で内側フレーム４ａの側方が開放された溝１３内へ押し込むように下げて引き延ばす。
【００７２】
さらに、図２０に示すように、フレームの一方に設けられると共に膜状部材２を引っ掛けて係止するボルト９を備えるようにしても良い。この場合、嵌合したフレーム４ａ，４ｂ同士を固定するボルト９を利用して膜状部材２を固定できるので、部品の共用化を図ることができる。例えば内側フレーム４ａの下側から外側フレーム４ｂをねじ止めするボルト９を使用する場合は、図２０（Ａ）に示すようにボルト９を内側フレーム４ａの下側から上向きに突出させて、このボルト９に膜状部材２を軽く張らせて引っ掛ける。そして、同図（Ｂ）に示すように外側フレーム４ｂを内側フレーム４ａに被せて膜状部材２をボス１０で内側フレーム４ａの側方が開放された溝１３内へ押し込むように下げて引き延ばす。フレーム４ａ，４ｂの嵌合後は少なくともボルト９による係止によって膜状部材２のテンションが維持されるが、各フレーム４ａ，４ｂの間に膜状部材２を挟み付けて摩擦により抜け止めする力を高めることもできる。なお、膜状部材２のボルト９に係止する部位には予め透孔３０を形成しておくことが好ましい。あるいは、膜状部材２が例えばメッシュシートである場合には、メッシュの目をボルト９に引っ掛けるようにしても良い。
【００７３】
また、フレーム４ａ，４ｂと膜状部材２とが接触する面の摩擦係数を大きくして膜状部材２の抜け止め力を更に強くしても良い。例えば図２１に示すように、外側フレーム４ｂの下面に細かな凹凸２８を多数形成して膜状部材２に対する摩擦係数を大きくする。これによれば、同図（Ｂ）に示すように各フレーム４ａ，４ｂの嵌合により膜状部材２を挟み付けたときに、テンションに対する強い抜け止め力を得ることができると共に、余り大きな力で膜状部材２を挟み付けなくても膜状部材２の抜け止めを図ることができる。
【００７４】
また、フレーム４ａ，４ｂに膜状部材２を係止する手法としては、図２２に示すようにフレーム４ａ，４ｂの一方に形成された突起２９に膜状部材２を引っ掛けて係止するようにしても良い。この場合は、フレーム組部材４以外の部材を使用せずに膜状部材２を係止できるので、フレーム４ａ，４ｂおよび膜状部材２の固定を低コストで実現することができる。例えば、図２２（Ａ）に示すように外側フレーム４ｂの下面に係止爪２９を形成して、これに膜状部材２を引っ掛ける。そして、同図（Ｂ）に示すように、外側フレーム４ｂを内側フレーム４ａに被せて膜状部材２をボス１０で内側フレーム４ａの側方が開放された溝１３内へ押し込むように下げて引き延ばす。このとき、ボルト９により膜状部材２を貫通させて更に抜け止め力を強化しても良い。
【００７５】
さらに、フレーム４ａ，４ｂの一方に形成された突起２９は、フレーム４ａ，４ｂ同士を連結して嵌合を維持するものとしても良い。例えば図２３に示すように外側フレーム４ｂに爪形状の突起２９を形成すると共に、内側フレーム４ａに突起２９が係止される係止孔１６を形成する。そして、同図（Ａ）に示すように突起２９に膜状部材２を軽く張った状態で係止して、同図（Ｂ）に示すように外側フレーム４ｂを内側フレーム４ａに被せて膜状部材２をボス１０で内側フレーム４ａの側方が開放された溝１３内へ押し込むように下げて引き延ばす。このとき、突起２９を係止孔１６に止め付けることにより、フレーム４ａ，４ｂが嵌合した状態で固定され、膜状部材２が挟み付けられて固定される。これによれば、フレーム組部材４以外の部材を使用せずに膜状部材２を固定できると共にフレーム４ａ，４ｂ同士を固定できるので、膜状部材取付構造の低コスト化を図ることができる。
【符号の説明】
【００７６】
１  座
２  メッシュシート（膜状部材）
３  係止部
４  フレーム組部材
４ａ，４ｂ，４ｃ，４ｄ  フレーム
５  凹部
６  ストッパ
７  テーパ
８  固定プレート
９  ボルト（固定手段）
１０  嵌合凸部
１３  嵌合凹部
２１  カバー
２９  突起
【図１】
0005185957.tif 000002
【図２】
0005185957.tif 000003
【図３】
0005185957.tif 000004
【図４】
0005185957.tif 000005
【図５】
0005185957.tif 000006
【図６】
0005185957.tif 000007
【図７】
0005185957.tif 000008
【図８】
0005185957.tif 000009
【図９】
0005185957.tif 000010
【図１０】
0005185957.tif 000011
【図１１】
0005185957.tif 000012
【図１２】
0005185957.tif 000013
【図１３】
0005185957.tif 000014
【図１４】
0005185957.tif 000015
【図１５】
0005185957.tif 000016
【図１６】
0005185957.tif 000017
【図１７】
0005185957.tif 000018
【図１８】
0005185957.tif 000019
【図１９】
0005185957.tif 000020
【図２０】
0005185957.tif 000021
【図２１】
0005185957.tif 000022
【図２２】
0005185957.tif 000023
【図２３】
0005185957.tif 000024
【図２４】
0005185957.tif 000025
【図２５】
0005185957.tif 000026
【図２６】
0005185957.tif 000027
【図２７】
0005185957.tif 000028